(57)【要約】【課題】同じ種類の商品を取り扱う製造業者（メーカー）、卸業者、小売業者等の企業間の業界横断型の商品情報データベースや企業内の部門間の商品情報データベースシステムにおいてマルチスペックやマルチリレーションの機能である表示プログラムを修正することなく維持したまま、アプリケーションサーバ側のアクセス権限制御用の制御プログラムの設定を変更してアクセス権限を実現できるようにする。【解決手段】同種の商品を取り扱う前記各企業又は企業内の各部門の各ユーザのうち、システム管理画面を操作可能な指定ユーザ（１乃至複数名の指定されたシステム管理者）が、前記アクセス権限設定変更用システム管理画面上にて、前記各文字スペック１〜ｎ及び各画像リンク１〜ｎの文字項目毎のアクセス権限を設定変更できるようにした。【選択図】図４
2006195708.tif 000002
【特許請求の範囲】
【請求項１】
データベースサーバ１と、アプリケーションサーバ２と、ＷＥＢサーバ３と、データベースサーバ１からアプリケーションサーバ２に送信するための商品情報データを商品画像情報データに変換する画像変換エンジン４と、ＷＥＢサーバ３からネットワークＮを介して送信される商品画像情報データを商品画像情報として開くためのアプリケーションプログラム（例えばＷＥＢブラウザ）を備えたユーザ端末７とから構成され、同種の商品を取り扱う各企業又は企業内の各部門の各ユーザ毎にアクセス権限が付与されて前記各々ユーザ端末７の情報提供画面上に同種の各商品の商品情報データが文字情報及び画像情報として各商品毎に表示提供される商品情報データベースシステムにおいて、
同種の商品を取り扱う各企業又は企業内の各部門である各ユーザ毎に、情報データ階層別形成プログラムに基づいて、同種の各商品毎の商品情報管理データとして商品情報表示文字項目を情報データ階層別に表示するアクセスビューセット１〜ｎ毎のアクセスビュー１〜ｎと、各アクセスビュー１〜ｎ毎のスペックタイプ１〜ｎ及び画像リンク１〜ｎと、各スペックタイプ１〜ｎ毎の文字スペック１〜ｎと、各文字スペック１〜ｎ及び各画像リンク１〜ｎ毎に付与されるアクセス権限情報とから構成される商品構造ルールを備え、該商品構造ルールとプルダウン選択用管理画面レイアウト表示プログラムに基づいて、前記情報データ階層別の商品情報表示文字項目が前記ユーザ端末７の画面上にプルダウン選択形式にて文字項目選択用システム管理画面として表示され、
前記各文字スペック１〜ｎ及び各画像リンク１〜ｎ毎に付与されるアクセス権限情報がスペックアクセス権限設定変更用画面レイアウト表示プログラムに基づいて前記ユーザ端末７の画面上にマトリクス形式にてアクセス権限設定変更用システム管理画面として表示され、
同種の商品を取り扱う前記各企業又は企業内の各部門の各ユーザのうち、システム管理画面を操作可能な指定ユーザ（１乃至複数名の指定されたシステム管理者）が、前記アクセス権限設定変更用システム管理画面上にて、前記各文字スペック１〜ｎ及び各画像リンク１〜ｎの文字項目毎のアクセス権限を設定変更できるようにしたことを特徴とする商品情報データベースシステム。
【請求項２】
前記商品情報管理データとして商品情報表示文字項目を表現するために、マルチスペック表示プログラムに基づいて、各アクセスビュー１〜ｎ毎にスペックタイプ１〜ｎを設定し、各スペックタイプ１〜ｎには複数の文字スペック定義をリンクさせ、その文字スペック定義に基づく様々な文字スペックを付随させることにより文字スペック１〜ｎを設定することにより各商品情報表示文字項目が表示され、前記文字項目のうち画像表示すべき文字項目毎にマルチリレーション表示プログラムに基づいて、各アクセスビュー１〜ｎ毎に画像リンク１〜ｎを設定し、各画像リンク１〜ｎ毎に商品情報を表現するための１乃至複数の画像データをリンクさせることにより、画像表示すべき各商品情報表示文字項目が表示されるとともに、その文字項目に関する商品情報を表現するための画像情報が表示されることを特徴とする請求項１記載の商品情報データベースシステム。
【請求項３】
前記同種の各商品毎の商品情報データとして情報データ階層別に表示する商品情報表示文字項目が、製品仕様情報、価格情報、広告情報、メイン画像リンク、サブ画像リンク、ＣＡＤファイルリンク、関連商品リンク等であることを特徴とする請求項１又は２記載の商品情報データベースシステム。
【請求項４】
前記文字項目のうち画像表示すべき文字項目が、メイン画像リンク、サブ画像リンク、ＣＡＤファイルリンク、その商品の関連商品リンクであり、その商品に関するメイン画像、サブ画像、ＣＡＤファイル、関連商品が画像情報として前記ユーザ端末７にマルチリレーション表示されることを特徴とする請求項２又は３記載の商品情報データベースシステム。
【発明の詳細な説明】
【技術分野】
【０００１】
本発明は、同じ種類の商品を取り扱うそれぞれ製造業者、卸業者、小売業者等の企業間にて、商品仕様や価格情報、販売広告キャンペーン情報等の商品情報を電子情報データとしてやり取りするための業界横断型の商品情報データベースシステムに関する。
【背景技術】
【０００２】
近年、商品情報としての電子情報データを一元的に管理し、それを再利用できる商品情報データベース（あるいは商品画像情報データベース）が開発されており、その情報データは、ワンソース・マルチユースデータとして、紙カタログやタイレクトメール、あるいは提案書や、ＣＤ−ＲＯＭ、ＤＶＤ−ＲＯＭ、ＷＥＢ、Ｅ−Ｍａｉｌ等に再利用されている。
【０００３】
また、このような商品情報データに基づいてカラーマネージメント機能によりデジタル化された画像データは、印刷物として展開することができ、また、このような商品情報データは、ネットワーク技術の進歩により、ＷＥＢ技術を利用した同じ種類の商品を取り扱うそれぞれ製造業者（メーカー）、卸業者、小売業者等のビジネスの役割を異にする企業間連携の業界横断型の商品情報として、また、企業内においても、その部門単位（製造部門、営業部門等）にて商品情報をやり取りする企業内の部門間連携の商品情報として、そのニーズが高まっている。
【０００４】
上記のような従来の商品情報データベース（あるいは商品画像情報データベース）は、図１６に示すように、データベースサーバ１と、アプリケーションサーバ２と、ＷＥＢサーバ３と、データベースサーバ１からアプリケーションサーバ２に送信する商品情報データを商品画像情報データに変換する画像変換エンジン４と、ＷＥＢサーバ３からネットワークを介して送信される商品画像情報データを、製造業者（メーカー）、販売業者（商社、卸業者）、関連業者（小売業者、関連子会社）等のパソコン端末の表示画面に商品画像情報として開くためのアプリケーションプログラム５（例えばＷＥＢブラウザ）を備えたパソコン端末７から構成されている。
【０００５】
図１６に示すような従来の商品情報データベースは、複数企業や企業内の複数部門が、同じデータベースをアクセスすることにより、そのデータベースに蓄積されている商品情報を共有することができるとともに、取引関係にある個々の企業単位、部門単位で、その商品情報を管理することにより、そのデータベースを一元的に管理することができる。
【０００６】
また、従来の商品情報データベースにおいては、多量の商品情報データにより表示され提供される各々商品の商品情報には、その商品単位毎に、情報を表現するための様々な文字スペック（情報表現用キーワード等）が付随しており、複数の各々文字スペック定義を単位毎の各商品にリンクさせることにより、その文字スペック定義に対応する文字スペックを各商品に付随させ、その商品に関する商品情報を操作画面上に文字にて表現することができるようになっている。
【０００７】
例えば、従来商品のシリーズ物であるシリーズ商品に関する商品情報データを作成する場合、図１７のマルチスペックに示すように、従来商品の文字スペックを基本商品文字スペックとして流用して、カスタマイズ仕様の文字スペックを追加（又は削除）することにより作成できるマルチスペック機能（アプリケーションサーバ２に搭載するマルチスペック表示プログラム）を備えており、また提供される商品情報を地域限定の仕様にする場合、基本商品文字スペックに加えて「地域限定」仕様の文字スペックを追加することにより
作成できるようになっている。
【０００８】
また、複数の商品をツリー階層的に組み合わせて表現でき、親子構造などセット商品の商品構造体系に対応できるようになっており、例えば、図１８のマルチリレーションに示すように、パソコンＡは、プリンタＡと印刷用紙をセット商品としており、パソコンＢは、プリンタＢと印刷用紙とスキャナをセット商品として表現できるマルチリレーション機能（アプリケーションサーバ２に搭載するマルチリレーション表示プログラム）を備えている。
【発明の開示】
【発明が解決しようとする課題】
【０００９】
ところで、同じ種類の商品を取り扱う製造業者（メーカー）、卸業者、小売業者等をユーザとする企業間の業界横断型の商品情報データベースや企業内の各部門をユーザとする部門間の商品情報データベースの場合には、そのデータベースを使用する各企業（又は各グループ企業）や各部門のユーザに対応して、アクセス権限（閲覧可能、更新可能、削除可能等）を設定し、他企業、他部門に対しての情報漏洩を防ぐ必要が発生する。
【００１０】
商品情報データベース中の商品情報データは、例えば、図１９に示すように、単一の商品構造ルールによりツリー階層別にファイリングされ、マルチスペック表示プログラムに基づいてマルチスペック表示され、マルチリレーション表示プログラムに基づいてマルチリレーション表示されている。
【００１１】
ここで、図１９に示すような商品構造において、ある製造業者や企業内の製造部門には、メイン画像とＣＡＤファイルの閲覧を許可したいが、関連商品は閲覧を不可としたい場合があり、また、ある販売業者（商社）や企業内の営業部門には、メイン画像と関連商品は閲覧を許可したいが、ＣＡＤファイルは閲覧を不可としたい場合がある。
【００１２】
また、ある製造業者や企業内の製造部門には、製品仕様の更新・削除を許可したいが、価格情報や広告情報は閲覧を不可としたい場合があり、また、ある販売業者（商社）や企業内の営業部門には、価格情報や広告情報の更新・削除を許可したいが、製品仕様は閲覧を不可としたい場合がある。
【００１３】
このように、各企業や企業内の各部門のユーザに対応してアクセス権限を設定する場合には、従来の技術では、図１６に示すようにログインするユーザに応じて商品情報の表示可、表示不可のアクセス権限を制御するアクセス権限制御プログラム６は、商品情報の提供者であるクライアント（商品情報提供者、提供依頼者）の端末７側に実装されており、図１７、図１８に示すようなマルチスペックやマルチリレーションの機能を利用して、各商品に対するリンクを動的に変更することにより、商品情報の表示可、表示不可のアクセス権限の制御をする場合に、リンクの変更の度に、アプリケーションサーバ２に搭載するマルチスペックやマルチリレーションの機能であるマルチスペック表示プログラムやマルチリレーション表示プログラムも、クライアント端末７側のアクセス権限制御プログラム６に対応して修正する必要があり、マルチスペックやマルチリレーションの機能である表示プログラムを維持したままアクセス権限を実現することが困難であった。
【００１４】
本発明は、同じ種類の商品を取り扱う製造業者（メーカー）、卸業者、小売業者等の企業間の業界横断型の商品情報データベースや企業内の部門間の商品情報データベースシステムにおいて、マルチスペックやマルチリレーションの機能である表示プログラムをクライアント端末７側のアクセス権限制御プログラム６に対応して修正することなく維持したまま、アクセス権限の設定や変更を実現できるようにすることにある。
【課題を解決するための手段】
【００１５】
本発明の請求項１に係る発明は、データベースサーバ１と、アプリケーションサーバ２と、ＷＥＢサーバ３と、データベースサーバ１からアプリケーションサーバ２に送信するための商品情報データを商品画像情報データに変換する画像変換エンジン４と、ＷＥＢサーバ３からネットワークＮを介して送信される商品画像情報データを商品画像情報として開くためのアプリケーションプログラム（例えばＷＥＢブラウザ）を備えたユーザ端末７とから構成され、同種の商品を取り扱う各企業又は企業内の各部門の各ユーザ毎にアクセス権限が付与されて前記各々ユーザ端末７の情報提供画面上に同種の各商品の商品情報データが文字情報及び画像情報として各商品毎に表示提供される商品情報データベースシステムにおいて、
同種の商品を取り扱う各企業又は企業内の各部門である各ユーザ毎に、情報データ階層別形成プログラムに基づいて、同種の各商品毎の商品情報管理データとして商品情報表示文字項目を情報データ階層別に表示するアクセスビューセット１〜ｎ毎のアクセスビュー１〜ｎと、各アクセスビュー１〜ｎ毎のスペックタイプ１〜ｎ及び画像リンク１〜ｎと、各スペックタイプ１〜ｎ毎の文字スペック１〜ｎと、各文字スペック１〜ｎ及び各画像リンク１〜ｎ毎に付与されるアクセス権限情報とから構成される商品構造ルールを備え、該商品構造ルールとプルダウン選択用管理画面レイアウト表示プログラムに基づいて、前記情報データ階層別の商品情報表示文字項目が前記ユーザ端末７の画面上にプルダウン選択形式にて文字項目選択用システム管理画面として表示され、
前記各文字スペック１〜ｎ及び各画像リンク１〜ｎ毎に付与されるアクセス権限情報がスペックアクセス権限設定変更用画面レイアウト表示プログラムに基づいて前記ユーザ端末７の画面上にマトリクス形式にてアクセス権限設定変更用システム管理画面として表示され、
同種の商品を取り扱う前記各企業又は企業内の各部門の各ユーザのうち、システム管理画面を操作可能な指定ユーザ（１乃至複数名の指定されたシステム管理者）が、前記アクセス権限設定変更用システム管理画面上にて、前記各文字スペック１〜ｎ及び各画像リンク１〜ｎの文字項目毎のアクセス権限を設定変更できるようにしたことを特徴とする商品情報データベースシステム。
【００１６】
本発明の請求項２に係る発明は、上記請求項１に係る商品情報データベースシステムにおいて、前記商品情報管理データとして商品情報表示文字項目を表現するために、マルチスペック表示プログラムに基づいて、各アクセスビュー１〜ｎ毎にスペックタイプ１〜ｎを設定し、各スペックタイプ１〜ｎには複数の文字スペック定義をリンクさせ、その文字スペック定義に基づく様々な文字スペックを付随させることにより文字スペック１〜ｎを設定することにより各商品情報表示文字項目が表示され、前記文字項目のうち画像表示すべき文字項目毎にマルチリレーション表示プログラムに基づいて、各アクセスビュー１〜ｎ毎に画像リンク１〜ｎを設定し、各画像リンク１〜ｎ毎に商品情報を表現するための１乃至複数の画像データをリンクさせることにより、画像表示すべき各商品情報表示文字項目が表示されるとともに、その文字項目に関する商品情報を表現するための画像情報が表示されることを特徴とする商品情報データベースシステムである。
【００１７】
本発明の請求項３に係る発明は、上記請求項１又は２に係る商品情報データベースシステムにおいて、前記同種の各商品毎の商品情報データとして情報データ階層別に表示する商品情報表示文字項目が、製品仕様情報、価格情報、広告情報、メイン画像リンク、サブ画像リンク、ＣＡＤファイルリンク、関連商品リンク等であることを特徴とする商品情報データベースシステムである。
【００１８】
本発明の請求項４に係る発明は、上記請求項２又は３に係る商品情報データベースシステムにおいて、前記文字項目のうち、画像表示すべき文字項目が、メイン画像リンク、サブ画像リンク、ＣＡＤファイルリンク、その商品の関連商品リンクであり、その商品に関
するメイン画像、サブ画像、ＣＡＤファイル、関連商品が画像情報として前記ユーザ端末７にマルチリレーション表示されることを特徴とする商品情報データベースシステムである。
【発明の効果】
【００１９】
本発明の商品情報データベースシステムによれば、同じ種類の商品を取り扱う製造業者（メーカー）、卸業者、小売業者等をユーザとする企業間の業界横断型の商品情報データベースや企業内の各部門をユーザとする部門間の商品情報データベースとして、同じ種類の商品に関する商品情報データに関してアクセスして、その情報を利用することができ、そのデータベースを使用する各企業（又は各グループ企業）や各部門のユーザに対応して、そのアクセス権限（閲覧可能、更新可能、削除可能等）を容易に設定、変更でき、他企業、他部門に対しての情報漏洩を防ぐことが可能である。
【００２０】
また、本発明システムによれば、商品情報データベース中の商品情報データは、同じ種類の商品を取り扱う製造業者（メーカー）、卸業者、小売業者等の各々ユーザ別に、商品構造ルールによりツリー階層別にファイリングされ、マルチスペック表示プログラムに基づいてマルチスペック表示され、マルチリレーション表示プログラムに基づいてマルチリレーション表示されており、またアクセス権限を制御するアクセス権限制御プログラム６は、クライアント（商品情報提供者、情報提供依頼者等）の画面側にカスタマイズして用意されているものではなく、本発明システムにおけるアクセス権限の制御は、クライアント端末７側のアクセス権限制御プログラム６に対応して修正することなく維持したまま、サーバ（アプリケーションサーバ）側のプログラムの設定を変更することにより、アクセス権限を制御できるようにしたものであり、クライアント端末７側にはアクセス権限制御プログラム６は省略できて必要に応じて設ければよく、そのためにアクセス権限を設定・変更する場合には、マルチスペックやマルチリレーションの機能である表示プログラムを修正することなく維持したまま、アプリケーションサーバ側に実装されたアクセス権限を制御する制御プログラムの設定を変更することにより、アクセス権限の設定・変更を実現することができるものである。
【００２１】
このように、本発明システムは、同じ種類の商品を取り扱う製造業者（メーカー）、卸業者、小売業者等の企業間の業界横断型の商品情報データベースや企業内の部門間の商品情報データベースシステムにおいて、マルチスペックやマルチリレーションの機能である表示プログラムを、クライアント端末７側のアクセス権限制御プログラム６に対応して修正することなく、維持したままでアクセス権限の設定を実現でき、同じ種類の商品を取り扱う製造業者（メーカー）、卸業者、小売業者等の各々ユーザ毎に、各々同種の取り扱い商品の商品構造（商品情報）を提供するＷＥＢサーバデータベースに対するアクセス権限をきわめて容易に設定したり変更したりすることができるとともに、企業間、部門間における商品情報の漏洩を防止することが可能となる。
【発明を実施するための最良の形態】
【００２２】
本発明の商品情報データベースシステムについて、その実施の形態を、以下に図面を参照しながら詳細に説明する。
【００２３】
図１は、商品情報データベースシステムのハードウエアの構成例を示すブロック図であり、データベースサーバ１と、商品情報データ管理機能や画像データ処理機能やユーザインターフェース機能等を備えたアプリケーションサーバ２と、ＷＥＢサーバ３と、データベースサーバ１からアプリケーションサーバ２に送信するための商品情報データを商品画像情報データに変換する画像変換エンジン４と、ＷＥＢサーバ３からインターネット、ＬＡＮ等のネットワークＮを介して送信される商品画像情報データを、商品文字情報や商品画像情報として開くためのアプリケーションプログラム５（例えばＷＥＢブラウザ）を備
えた製造業者（メーカー）、販売業者（商社、卸業者）、関連業者（小売業者、関連子会社）等の各ユーザのパソコン端末７から構成されている。
【００２４】
次に、そのソフトウェアの構成例について、その実施の形態を、以下に図面を参照しながら詳細に説明する。
【００２５】
図２は、同種の商品を取り扱う各企業（又は各企業とそのグループ企業）である製造業者（メーカー）、販売業者（商社、卸業者）、関連業者（小売業者、関連子会社）等の各ユーザや、１つの企業内の各部門の各ユーザのうち、商品情報データベースシステムのシステム管理を委託されている指定ユーザ（１乃至複数名の指定されたシステム管理者）のパソコン端末７から、ネットワークＮを介して、ＷＥＢサーバ３に対してアクセスすることにより、パソコン端末７の画面上に、同種の各商品の商品情報データに関するデータ構造を説明するシステム管理画面であり、各商品毎に、及び各々部門毎に又は各企業毎に商品構造を表す商品情報表示項目別に、情報データ階層別形成プログラムに基づいてアクセスビューセット１〜ｎとして設定表示された表示画面を示している。
【００２６】
図２は、同種の商品を取り扱う１企業内の各部門又は各企業のうち、例えば、製造部門用又は製造企業、メーカー用のある１つの商品Ａの商品構造を示すアクセスビューセットと、営業部門用又は商社用のある１つの商品Ａの商品構造を示すアクセスビューセットであり、１つのアクセスビューセットは、１つ以上のアクセスビュー１〜ｎと、各アクセスビュー１〜ｎ毎にスペックタイプ１〜ｎと、各スペックタイプ１〜ｎ毎に文字スペック１〜ｎから構成されていて、それぞれ１頁毎に２頁画面として、又は共通の１頁画面として、ある１つの商品Ａの商品構造を表す商品情報が、情報データ階層別形成プログラムに基づいて各部門毎に又は各企業毎に情報表示項目別に設定表示されている。
【００２７】
図２に示すように、システムのユーザである各部門毎又は各企業毎に設定表示される各アクセスビューセット１〜ｎには、情報データ階層別形成プログラムに基づいてアクセスビュー１〜ｎとして「商品Ａのプロダクトアクセスビュー」が設定表示され、例えば、アクセスビューの１つのある商品Ａのスペックタイプとして、「製品仕様」、「価格情報」、「広告情報」等の文字項目（情報表示項目）が文字情報として設定表示される。
【００２８】
またアクセスビューには、情報データ階層別形成プログラムに基づいて、情報表示項目のうち画像情報として表示すべき文字項目として、画像リンク１〜ｎが設定表示され、「メイン画像リンク」、「サブ画像リンク」、「ＣＡＤファイルリンク」、「関連商品１リンク」、「関連商品２リンク」、・・・「関連商品ｎリンク」等の文字項目（情報表示項目）が次の画像情報等を案内するための文字情報（案内情報）として設定表示される。
【００２９】
前記商品Ａのプロダクトアクセスビューの各々文字項目のうち、例えば、スペックタイプの「製品仕様」の項目には、文字スペックとして、「幅」、「重量」、・・・「密度」等の文字項目が、また、スペックタイプの「価格情報」の項目には、文字スペックとして、「定価」、「仕入れ値」、・・・「マージン」等の文字項目が、また、スペックタイプの「広告情報」の項目には、文字スペックとして、「コピー」、「ロゴ」等の文字項目がそのツリー階層別の表示項目として表示される。
【００３０】
この表示方式としては、商品Ａ、Ｂ、Ｃ等の各商品毎に、マルチスペック表示プログラムに基づいて、その各々商品Ａ、Ｂ、Ｃ、・・・の商品情報を表現するための複数の文字スペック定義をリンクさせる。
【００３１】
そして、その文字スペック定義に基づいて、様々な文字スペック（商品の属性を記述するための情報表現用キーワード群）を付随させることにより、図２に示すように、各々商
品Ａ、Ｂ、Ｃ、・・・の「製品仕様」及び「幅」、「重量」、・・・「密度」等の文字項目、「価格情報」及び「定価」、「仕入れ値」、・・・「マージン」等の文字項目、「広告情報」及び「コピー」、「ロゴ」等の文字項目が、情報データ階層別形成プログラムに基づいて、各表示項目別にマルチスペック表示されて、各々ユーザ端末７の画面上にシステム管理画面として設定表示される。
【００３２】
また、情報表示項目のうち、画像情報として表示すべき項目には、画像リンク１〜ｎとして、メイン画像、サブ画像、ＣＡＤファイリング等の画像情報を案内するための「メイン画像リンク」、「サブ画像リンク」、「ＣＡＤファイルリンク」、「関連商品１リンク」、「関連商品２リンク」、・・・「関連商品ｎリンク」等の文字項目（案内項目）も同様に、各表示項目別にマルチスペック表示（又はマルチリレーション表示）されて、各々ユーザ端末７の画面上にシステム管理画面として設定表示される。
【００３３】
また、前記各文字項目のうち、次のアクセス画面にて画像情報として表示すべき１乃至複数の文字項目には、その文字項目毎にマルチリレーション表示プログラムに基づいて、各画像リンク１〜ｎ毎に商品情報を表現するための１乃至複数の画像データをリンクさせて、画像表示すべき各商品情報表示文字項目、「メイン画像リンク」、「サブ画像リンク」、「ＣＡＤファイルリンク」、「関連商品１リンク」、「関連商品２リンク」、・・・「関連商品ｎリンク」等の文字項目が表示されるとともに、その文字項目に関する商品情報を表現するための画像情報が設定され、画像情報として前記端末７にマルチリレーション表示される。
【００３４】
例えば、画像情報として表示すべき文字項目としては、図２に示すように、「メイン画像リンク」、「サブ画像リンク」、「ＣＡＤファイルリンク」、その商品の「関連商品１リンク」、・・・「関連商品ｎリンク」があり、その商品に関するメイン画像（例えば商品全体の形状、色調等を表示する斜視画像、正面画像、側面画像、平面画像等）、サブ画像（商品の部分画像、商品の内部画像等）、ＣＡＤファイル（設計図、ＣＧ画像等）、関連商品１〜ｎの画像（例えば、セット商品の画像等）が、画像情報として前記端末７にマルチリレーション表示されるものである。
【００３５】
そして、図２に示す各部門毎又は各企業毎のアクセスビューセットには、前記の「製品仕様」、「価格情報」、「広告情報」等の文字項目毎、及び「メイン画像リンク」、「サブ画像リンク」、「ＣＡＤファイルリンク」、その商品の「関連商品１リンク」、・・・「関連商品ｎリンク」等の文字項目毎に、同種の商品を取り扱う前記各企業種又は企業内の各部門に対するアクセス権限の有無が付与されていて、例えば図２に示すように、アクセス権限として、その文字項目の情報内容を可視・削除可の場合は「◎」、その文字項目の情報内容を可視・更新可の場合には「○」、その文字項目の情報内容を可視できない場合は権限無しとして「×」の識別マークが付与されている。
【００３６】
図３は、例えば、デジタルカメラ等の商品Ａの商品構造ルールに基づくアクセスビュセット１、アクセスビュセット２のデータ構造と、そのアクセス権限を説明する説明図であり、アクセスビュセット１内には、商品Ａを取り扱う同一企業内の各部門である「横浜工場」、「広報部」、「東京販売社」毎のそれぞれアクセスビュー１、２、３と、他企業毎のそれぞれアクセスビー４、５と、プロダクト統括マネージャー向けのアクセスビュー６がファイリングされていて、各アクセスビューには、商品Ａに関する製造情報、広報情報、販売情報に関する情報データ、及び商品Ａの画像データ、ＣＡＤデータ、商品Ａのセット商品に関する情報データが、各文字項目毎にファイリングされており、各表示項目別に文字項目がマルチスペック表示され、且つ各文字項目毎にアクセス権限（白地領域で示す可視権限）が付与されて、各々ユーザ端末７の画面上に表示され、また、商品Ａの画像データ、ＣＡＤデータ、商品Ａのセット商品の各文字項目毎に画像情報がリンクされて前記
端末７に画像としてマルチリレーション表示されるようになっている。
【００３７】
また、アクセスビューセット２内には、商品Ａを取り扱う同一企業内の各海外部門である「上海工場」、「上海販売社」毎のそれぞれアクセスビュー７、８と、プロダクト統括マネージャー向けのアクセスビュー９がファイリングされていて、各アクセスビューには、商品Ａに関する製造情報、広報情報、販売情報に関する情報データ、及び商品Ａの画像データ、ＣＡＤデータ、商品Ａのセット商品に関する情報データが、各文字項目毎にファイリングされており、各表示項目別に文字項目がマルチスペック表示され、且つ各文字項目毎にアクセス権限（白地領域で示す可視権限）が付与されて、各々ユーザ端末７の画面上に表示され、また、商品Ａの画像データ、ＣＡＤデータ、商品Ａのセット商品の各文字項目毎に画像情報がリンクされて、前記端末７に画像としてマルチリレーション表示されるようになっている。なお、プロダクト統括マネージャー向けのアクセスビュー６、アクセスビュー９には、同一のプロダクト統括マネージャーであるユーザを登録することができる。
【００３８】
図４は、本発明システムにおいて、各商品Ａ、Ｂ、Ｃ、・・・毎の商品構造ルールを表現するためのツリー階層別のデータ構造を示し、マルチスペック表示形態を説明するブロック図であり、スペックタイプ１、２、・・・スペックタイプｎに文字項目として分類され、商品Ａ、Ｂ、Ｃ、・・・毎の「製品仕様」、「価格情報」、「広告情報」等の文字項目（情報表示項目）が文字情報として表示される。
【００３９】
また、商品構造ルールとして、リンク１、２、・・・リンクｎに文字項目として分類され、各商品Ａ、Ｂ、Ｃ、・・・毎の「メイン画像リンク」、「サブ画像リンク」、「ＣＡＤファイルリンク」、「関連商品１リンク」、「関連商品２リンク」、・・・「関連商品ｎリンク」等の文字項目（情報表示項目）が、ユーザ端末７に、次の画像情報等を案内するための文字情報（案内情報）として図５に示すように表示される。
【００４０】
前記各々文字項目のうち、各スペックタイプ１、２、・・・ｎには、マルチスペック表示プログラムに基づいて、０個以上のスペックが付与され、例えば、スペック１、２、・・・スペックｎが付与されて、スペックタイプ１として「製品仕様」の項目には、スペック１として「幅」、スペック２として「重量」、スペック３として「密度」等の文字項目が、また、スペックタイプ２として「価格情報」の項目には、スペック１として「定価」、スペック２として「仕入れ値」、スペック３として「マージン」等の文字項目が、また、スペックタイプ３として「広告情報」の項目には、スペック１として「コピー」、スペック２として「ロゴ」等の文字項目が、前記端末７にツリー階層別文字情報として、図５に示すようにマルチスペック表示される。
【００４１】
また、各々文字項目のうち、各リンク１、２、・・・ｎには、画像表示すべき各商品Ａ、Ｂ、Ｃ、・・・の画像、ＣＡＤファイル、関連商品（セット商品）との関連をマルチリレーション表示プログラムに基づいて記述し、例えば、リンク１として「メイン画像リンク」の文字項目にはメイン画像データがリンクされ、リンク２して「サブ画像リンク」の文字項目にはサブ画像データがリンクされ、リンク３として「ＣＡＤファイルリンク」の文字項目にはＣＡＤファイル画像データがリンクされ、リンク４、５として「関連商品１リンク」、「関連商品２リンク」の文字項目にはそれぞれ関連商品１、２の商品画像データがリンクされて、前記ユーザ端末７に各文字項目に関する画像情報としてマルチリレーション表示される。
【００４２】
図６は、本発明システムにおいて、各商品Ａ、Ｂ、Ｃ、・・・毎の商品構造ルールを表現するためのデータ構造及びアクセス権限を付与した各文字スペック１〜ｎ及び各画像リンク１〜ｎを示し、マルチスペック表示形態（図４参照）によって表示される各部門毎又
は各企業毎のアクセスビューセットの各々文字項目に対するアクセス権限の付与を説明するブロック図である。
【００４３】
図６に示すように、各部門毎又は各企業毎のアクセスビューセットには、各スペック１〜ｎ（「製品仕様」、「価格情報」、「広告情報」等）の文字項目毎、及び各リンク１〜ｎ（「画像リンク」又は「メイン画像リンク」、「サブ画像リンク」、「ＣＡＤファイルリンク」、その商品の「関連商品１リンク」、・・・「関連商品ｎリンク」等）の文字項目毎に、同種の商品を取り扱う前記各企業種又は企業内の各部門に対するアクセス権限の有無を付与する。
【００４４】
例えば、その文字項目に関する情報内容を可視（情報内容を記載した画面ページの開可）・削除可の場合、その文字項目に関する情報内容を可視・更新可の場合、その文字項目に関する情報内容を可視できない場合の３つの場合にランク分けして、そのランクの属性を示す符号、記号等の属性データが登録付与されている。
【００４５】
そして、図７に示すように、「製品仕様」、「価格情報」、「広告情報」の各文字項目毎、及び「メイン画像リンク」、「サブ画像リンク」、「ＣＡＤファイルリンク」、その商品の「関連商品１リンク」、「関連商品２リンク」の各文字項目毎に、アクセス権限として、その文字項目の情報内容を可視・削除可の場合は「◎」、その文字項目の情報内容を可視・更新可の場合には「○」、その文字項目の情報内容を可視できない場合は「権限無し」として「×」の識別マークがユーザ端末７の画面に表示される。なお、図７は、製造部門用のプロダクトアクセスビューの一例であり、図８は、営業部門用のプロダクトアクセスビューの一例である。
【００４６】
このように本発明システムは、データベースサーバ１と、アプリケーションサーバ２と、ＷＥＢサーバ３と、データベースサーバ１からアプリケーションサーバ２に送信するための商品情報データを商品画像情報データに変換する画像変換エンジン４と、ＷＥＢサーバ３からネットワークＮを介して送信される商品画像情報データを商品画像情報として開くためのアプリケーションプログラム５（例えばＷＥＢブラウザ）を備えたユーザ端末７とから構成されている。
【００４７】
そして、同種の商品を取り扱う各企業又は企業内の各部門の各ユーザ毎にアクセス権限が付与されて、前記各々ユーザ端末７の画面上に同種の各商品の商品情報データが、文字情報及び画像情報として各商品毎に表示提供されるものであるが、指定ユーザ（１乃至複数名の指定されたシステム管理者）がアクセス権限を設定、変更する際には、システム管理画面が使用される。
【００４８】
そのシステム管理画面としては、上記したように、同種の商品を取り扱う各企業又は企業内の各部門である各ユーザ毎に、情報データ階層別形成プログラムに基づいて、同種の各商品毎の商品情報管理データとして商品情報表示文字項目を情報データ階層別に表示するアクセスビューセット１〜ｎ毎のアクセスビュー１〜ｎと、各アクセスビュー１〜ｎ毎のスペックタイプ１〜ｎ及び画像リンク１〜ｎと、各スペックタイプ１〜ｎ毎の文字スペック１〜ｎと、各文字スペック１〜ｎ及び各画像リンク１〜ｎ毎に付与されるアクセス権限情報とから構成される商品構造ルールを備えている。
【００４９】
そして、該商品構造ルールとプルダウン選択用管理画面レイアウト表示プログラムに基づいて、前記情報データ階層別の商品情報表示文字項目が、ユーザ端末７の画面上にプルダウン選択形式にて文字項目選択用システム管理画面として表示される。
【００５０】
そして、文字項目選択用システム管理画面にて、文字スペック１〜ｎ又は画像リンク１
〜ｎのうち、アクセス権限を設定、変更すべき文字項目をプルダウンにて選択することにより、その文字項目が属するアクセス権限情報がスペックアクセス権限設定変更用画面レイアウト表示プログラムに基づいて前記ユーザ端末７の画面上にマトリクス形式にてアクセス権限設定変更用システム管理画面として表示される。
【００５１】
このようにして設定表示されたアクセス権限設定変更用システム管理画面上にて、同種の商品を取り扱う前記各企業又は企業内の各部門の各ユーザのうち、システム管理画面を操作可能な設定、変更の操作を予め許可されている指定ユーザ（１乃至複数名の指定されたシステム管理者）が、前記アクセス権限設定変更用システム管理画面上にて、前記各文字スペック１〜ｎ及び各画像リンク１〜ｎの文字項目毎のアクセス権限を設定変更できるようにしたものである。
【００５２】
本発明のシステムにおいて、前記商品情報管理データとして商品情報表示文字項目を表現するためには、マルチスペック表示プログラムに基づいて、各アクセスビュー１〜ｎ毎にスペックタイプ１〜ｎを設定し、各スペックタイプ１〜ｎには複数の文字スペック定義をリンクさせ、その文字スペック定義に基づく様々な文字スペックを付随させることにより文字スペック１〜ｎを設定することにより各商品情報表示文字項目が端末７の管理画面として設定表示される。
【００５３】
また、前記文字項目のうち画像表示すべき文字項目毎にマルチリレーション表示プログラムに基づいて、各アクセスビュー１〜ｎ毎に画像リンク１〜ｎを設定し、各画像リンク１〜ｎ毎に、商品情報を表現するための１乃至複数の画像データをリンクさせることにより、画像表示すべき各商品情報表示文字項目と、その文字項目に関する商品情報を表現するための画像情報が、端末７の管理画面として設定表示される。
【００５４】
次に、本発明の商品情報データベースシステムのアクセス動作及びアクセス権限について、図１に示すシステムブロック図及び図９に示すシステムフローチャート図に基づいて説明する。
【００５５】
＜Ｓ１＞
同種の商品を取り扱う各企業又は１企業内の各部門のユーザのうち、システム権限の設定、変更の操作を許可された指定ユーザ（１乃至複数名の指定されたシステム管理者）が、そのユーザのパソコン端末７からインターネット等のネットワークＮ接続用の画面を開き、その指定ユーザ本人のドメイン名と、本発明システムの商品情報データベースのアドレス名（ＵＲＬ又はＵＲＩ）を入力してログインし、ＷＥＢサーバ３にアクセスして、図１０に示すようにレイアウト表示された「ユーザ・グループ選択」用のシステム管理画面１０が表示される。
【００５６】
＜Ｓ２＞
図１０に示す「ユーザ・グループ選択」用の管理画面１０上のプルダウン式の選択指定欄１１を用いて、その指定ユーザ本人が画面上に表示したい商品、例えば商品Ａと、その商品構造ルール（アクセスビューセット１〜ｎ、アクセスビュー１〜ｎ）とを選択指定する。
【００５７】
また、同画面１０上の入力欄１２を用いて、指定ユーザ本人が情報入手を希望する商品Ａに関する商品情報を取り扱う指定ユーザ本人以外の他の部門（ユーザ）又は他の企業（ユーザ）の名称（又は指定ユーザ本人の名称でもよい）を入力して、商品情報の入手対象となるユーザ（又はグループ）を指定すると、選択指定表示欄１３には、その商品Ａに関する商品情報を取り扱うアクセスユーザ本人以外の他の部門（ユーザ）又は他の企業（ユーザ）の名称（又はアクセスユーザ本人の名称）と、表示したい商品Ａの商品構造ルール
番号が表示される。
【００５８】
＜Ｓ３＞
続いて、例えば、同管理画面１０上の「設定変更」ボタン１４を押下することにより、図１１に示すようにレイアウト表示された「アクセス権限設定」用のシステム管理画面２０が表示される。
【００５９】
そして、「アクセス権限設定」用のシステム管理画面２０のスペックへのアクセスビュー設定における「スペックタイプ」のオブジォクト情報欄のプルダウンボタン２１を押下することにより、商品Ａの構造ルールにおけるアクセスビューセット１〜ｎを順次表示して、そのうち必要なアクセスビューセットｋの文字項目を探して選択指定した後、「スペックタイプ単位で設定」のボタン２２、又は「スぺック単位で設定」のボタン２３のいずれかを押下する。
【００６０】
続いて、「アクセス権限設定」用のシステム管理画面２０のリンクへのアクセスビュー設定における「リンクタイプ」の画像欄のプルダウンボタン２４を押下することにより、商品Ａの構造ルールにおけるアクセスビュー１〜ｎにおける画像リンク１〜ｎを順次表示して、そのうち必要な画像リンクｋの文字項目を探して選択指定した後、「リンク単位で設定」のボタン２５を押下する。なお、この時点で、＜Ｓ１＞に戻る場合には、「グループ・ユーザ選択へ戻る」のボタン２６を押下する。
【００６１】
＜Ｓ４＞
ＷＥＢサーバから、パソコン端末７に商品Ａのアクセスビューセットｋのデータを返して、端末７の管理画面上にアクセスビューセットｋの画面を表示する。
【００６２】
＜Ｓ５＞
端末７の管理画面上に表示されたアクセスビューセットｋ中のアクセスビュー１〜ｎの中から、ユーザと対応するアクセスビューｋを探した後、アクセスビューセットｋの画面を一旦削除して、「アクセス権限設定」用のシステム管理画面２０の表示に戻し、スペックへのアクセスビュー設定における「スペックタイプ」のオブジォクト情報欄のプルダウンボタン２１を押下することにより、商品Ａの構造ルールにおけるアクセスビューｋの文字項目を探して選択指定した後、「スペックタイプ単位で設定」のボタン２２、又は「スぺック単位で設定」のボタン２３のいずれかを押下する。
【００６３】
＜Ｓ６＞
ＷＥＢサーバから、パソコン端末７に商品Ａのアクセスビューｋのデータを返して、端末７の管理画面上にアクセスビューｋの画面を表示する。
【００６４】
＜Ｓ７＞
端末７の管理画面上にアクセスビューｋの画面が表示されるとともに、端末７はＷＥＢサーバ３から、その商品Ａのアクセスビューｋに対応する商品構造ルール（データ構造）を取得する。
【００６５】
＜Ｓ８＞
ＷＥＢサーバから、パソコン端末７に、商品Ａのアクセスビューｋに対応する商品構造ルールデータを返して、その商品構造ルールデータを端末７（画面にはアクセスビューｋが継続表示されている）に取り込む。
【００６６】
＜Ｓ９＞
端末７は、商品構造ルールデータを取り込むと、商品Ａのアクセスビューｋのデータか
ら、そのアクセスビューｋの商品構造ルールが持つ各文字スペック１〜ｎ毎及び各画像リンク１〜ｎ毎に、現在付与されているアクセス権限を取得する。
【００６７】
＜Ｓ１０＞
ＷＥＢサーバから、パソコン端末７に、商品Ａのアクセスビューｋが持つ各文字スペック毎及び各画像リンク毎に現在付与されているアクセス権限データを返して、そのアクセス権限データを端末７（画面にはアクセスビューｋが継続表示されている）に取り込むことにより、前記各文字スペック１〜ｎ及び各画像リンク１〜ｎ毎に付与されるアクセス権限情報がスペックアクセス権限設定変更用画面レイアウト表示プログラムに基づいて前記ユーザ端末７の画面上に、図１２に示すようにレイアウト表示された「スペックアクセス権限設定」用のシステム管理画面３０として、アクセス権限設定変更用画面がマトリクス形式にて表示される。
【００６８】
＜Ｓ１１＞
図１２に示すように表示された「スペックアクセス権限設定」用のシステム管理画面３０のマトリクス形式の指定入力欄３１は、例えば、情報表示文字項目である文字スペック（又は単にスペック）として、「幅」、「重量」、「密度」、「定価」、「仕入れ値」等が表示され、それぞれ各スペックには、「権限なし」、「可視」、「可視更新可」等のうちのいずれか１つの権限が付与されるように表示されており、指定ユーザは各スペック毎にアクセス権限を指定した後、「決定」ボタン３２を押下することにより、アクセス権限が設定される。
【００６９】
なお、マトリクス形式の指定入力欄３１には、各文字スペックの情報表示項目毎に、その項目に関する詳細情報を閲覧するための「詳細」ボタン３３が設けられており、「詳細」ボタン３３を押下することにより、例えば図１４〜図１５に示すようにレイアウト表示された各企業、各部門毎の商品情報の詳細表示画面が、指定ユーザの端末７に表示されて商品Ａに関する詳細情報を閲覧することができる。
【００７０】
そして、続いて、図１３に示すようにレイアウト表示された「リンクアクセス権限設定」用のシステム管理画面４０が表示されて、その指定入力欄４１は、例えば、情報表示文字項目である画像リンク（又は単にリンク）として、「画像」（又は「メイン画像」）、「サブ画像」、「ＣＡＤファイル」、「関連商品１」、・・・「関連商品ｎ」等が表示され、それぞれ各リンクには、「権限なし」、「可視」、「可視更新可」等のうちのいずれか１つの権限が付与されるように表示されており、指定ユーザは各画像リンク毎にアクセス権限を指定した後、「決定」ボタン４２を押下することによりアクセス権限が設定される。そして、図１０に示す「ユーザ・グループ選択」用の管理画面１０に戻る。
【００７１】
＜Ｓ１２＞
これにより、システム管理者である指定ユーザによってアクセス権限が設定され、又は設定変更されて、このように設定又は設定変更されたアクセス権限に基づいて、同種の商品を取り扱う各企業又は１企業内の各部門の各ユーザの端末７の情報提供画面上に、図１４〜図１５に示すようにレイアウト表示された商品Ａ（又はＢ、Ｃ、Ｄ・・・）に関する商品情報が、文字情報欄５１、画像情報（メイン画像情報）欄５２、サブ画像情報欄又は関連商品画像情報欄５３として表示提供が可能となる。
【図面の簡単な説明】
【００７２】
【図１】本発明の商品情報データベースシステムを説明するシステムブロック図。
【図２】本発明の商品情報データベースシステムにおけるシステム管理を委託されている指定ユーザのパソコン端末の画面上に出力表示されるシステム管理画面の商品情報データ構造を説明するブロック図。
【図３】本発明の商品情報データベースシステムにおけるある商品の商品構造ルールに基づくアクセスビュセット１、アクセスビュセット２のデータ構造と、そのアクセス権限を説明する説明図。
【図４】本発明の商品情報データベースシステムにおけるマルチスペック表示形態及びマルチリレーション表示形態を説明するブロック図。
【図５】本発明の商品情報データベースシステムにおける商品構造ルールの一例を説明するブロック図。
【図６】本発明の商品情報データベースシステムにおける各商品毎の商品構造ルールを表現するためのデータ構造及びアクセス権限を付与した各文字スペック１〜ｎ及び各画像リンク１〜ｎからなるアクセスビューの各々文字項目に対するアクセス権限の付与を説明するブロック図。
【図７】本発明の商品情報データベースシステムにおける製造部門用のプロダクトアクセスビューの一例。
【図８】本発明の商品情報データベースシステムにおける営業部門用のプロダクトアクセスビューの一例。
【図９】本発明の商品情報データベースシステムにおけるアクセス動作及びアクセス権限設定動作を説明するシステムフローチャート図。
【図１０】システム管理者の端末に出力表示された「ユーザ・グループ選択」用のシステム管理画面の一例。
【図１１】システム管理者の端末に出力表示された「アクセス権限設定」用のシステム管理画面の一例。
【図１２】システム管理者の端末に「スペックアクセス権限設定」用のシステム管理画面として出力表示された「アクセス権限設定変更」用のシステム管理画面の一例。
【図１３】システム管理者の端末に出力表示された「リンクアクセス権限設定」用のシステム管理画面の一例。
【図１４】指定ユーザの端末に表示されたある商品に関するメーカー（製造部門）の商品情報の詳細表示画面の一例。
【図１５】指定ユーザの端末に出力表示されたある商品に関する商社（営業部門）の商品情報の詳細表示画面の一例。
【図１６】従来の商品情報データベースシステムを説明するシステムブロック図。
【図１７】カスタマイズ仕様の文字スペックを追加（又は削除）することにより作成できる文字スペックを基本商品文字スペックとして流用してマルチスペック機能により表現される従来の商品情報データベース中の商品情報データ構造図。
【図１８】プリンタＡと印刷用紙をセット商品とするパソコンＡと、プリンタＢと印刷用紙とスキャナとをセット商品とするパソコンＢのマルチリレーション機能により表現される従来の商品情報データベース中の商品情報データ構造図。
【図１９】マルチスペック表示プログラムに基づいてマルチスペック表示され、マルチリレーション表示プログラムに基づいてマルチリレーション表示されている従来の商品情報データベース中の商品情報データ構造図。
【符号の説明】
【００７３】
１…データベースサーバ
２…アプリケーションサーバ
３…ＷＥＢサーバ
４…画像変換エンジン
５…アプリケーションプログラム（例えばＷＥＢブラウザ）
６…アクセス権限制御プログラム
７…パソコン端末
１０…ユーザ・グループ選択用の管理画面
２０…アクセス権限設定用の管理画面
３０…スペック・アクセス権限設定用の管理画面
４０…リンク・アクセス権限設定用の管理画面
５０…商品情報詳細表示用の情報提供画面
【図１】
2006195708.tif 000003
【図２】
2006195708.tif 000004
【図３】
2006195708.tif 000005
【図４】
2006195708.tif 000006
【図５】
2006195708.tif 000007
【図６】
2006195708.tif 000008
【図７】
2006195708.tif 000009
【図８】
2006195708.tif 000010
【図９】
2006195708.tif 000011
【図１０】
2006195708.tif 000012
【図１１】
2006195708.tif 000013
【図１２】
2006195708.tif 000014
【図１３】
2006195708.tif 000015
【図１４】
2006195708.tif 000016
【図１５】
2006195708.tif 000017
【図１６】
2006195708.tif 000018
【図１７】
2006195708.tif 000019
【図１８】
2006195708.tif 000020
【図１９】
2006195708.tif 000021